(57)【特許請求の範囲】
【請求項１】
患者の医療撮像データを取得することが可能な医療撮像システムであって、該システムは、
該システムに結合されているコンソールを備え、該コンソールは、
第１のユーザが該コンソールを介して該システム上で第１のタスクを実行することを可能にし、
第２のユーザが遠隔デバイスを介して前記第１のタスクと同時に第２のタスクを実行することを可能にするようにプログラムされているコンピュータを備え、
前記コンピュータは、前記第２のユーザが前記コンソールよりも別の医療撮像システムに近接している場合に前記第２のユーザに警告するようにプログラムされている、医療撮像システム。
【請求項２】
前記コンピュータは、前記遠隔デバイスと前記コンソールとの間に結合されているローカルエリアネットワーク（ＬＡＮ）およびブロードバンド接続デバイスのうちの少なくとも一方を使用することによって、前記第２のタスクが前記遠隔デバイスを介して実行されることを可能にするようにプログラムされている、請求項１記載の医療撮像システム。
【請求項３】
前記コンピュータは、前記遠隔デバイスが前記コンソールに無線で直接結合されることを可能にするようにプログラムされている、請求項１記載の医療撮像システム。
【請求項４】
前記遠隔デバイスは、タブレットＰＣ、スマートフォン、ポータブル音楽プレーヤ、および専用デバイスを含む、請求項１記載の医療撮像システム。
【請求項５】
前記第１のタスクおよび前記第２のタスクのうちの一方は、撮像データの処理、撮像データの観察、患者リストの表示、次の患者の情報の表示、患者データの編集、前記患者の非画像化医療情報の表示、実行されるべき手順の表示、次の患者の撮像準備ができたという指示の表示、前記医療撮像システムの取扱説明書の表示、ｘ線の管理、および前記撮像システムの状態の監視のうちの１つを含む、請求項１記載の医療撮像システム。
【請求項６】
前記コンピュータは、前記遠隔デバイスの機能を制限し、前記第２のタスクを実行できないように前記遠隔デバイスの前記医療撮像システムに対するアクセスを妨げるために、前記コンソールが上書き命令能力を有するようにプログラムされている、請求項５記載の医療撮像システム。
【請求項７】
前記コンピュータは、前記第１のユーザに、前記遠隔デバイスが前記第２のタスクを実行することを可能にされていることを通知するようにプログラムされている、請求項１記載の医療撮像システム。
【請求項８】
患者の医療撮像データを取得することが可能な医療撮像システムであって、該システムは、
該システムに結合されているコンソールを備え、該コンソールは、
第１のユーザが該コンソールを介して該システム上で第１のタスクを実行することを可能にし、
第２のユーザが遠隔デバイスを介して前記第１のタスクと同時に第２のタスクを実行することを可能にするようにプログラムされているコンピュータを備え、
前記コンピュータは、前記第１のユーザに、前記遠隔デバイスが前記第２のタスクを実行することを可能にされていることを通知するようにプログラムされており、
さらに、前記コンピュータは、
前記第２のタスクが実行されることを妨げるために前記第１のユーザが選択するためのオプションを表示すること、を実行するようにプログラムされている、医療撮像システム。
【請求項９】
患者の医療撮像データを取得することが可能な医療撮像システムであって、該システムは、
該システムに結合されているコンソールを備え、該コンソールは、
第１のユーザが該コンソールを介して該システム上で第１のタスクを実行することを可能にし、
第２のユーザが遠隔デバイスを介して前記第１のタスクと同時に第２のタスクを実行することを可能にするようにプログラムされているコンピュータを備え、
前記コンピュータは、前記第１のユーザに、前記遠隔デバイスが前記第２のタスクを実行することを可能にされていることを通知するようにプログラムされており、
さらに、前記コンピュータは、
前記遠隔デバイスをそのロケーションに基づいてディセーブルすること、を実行するようにプログラムされている、医療撮像システム。
【請求項１０】
患者の医療撮像データを取得することが可能な医療撮像システムであって、該システムは、
該システムに結合されているコンソールを備え、該コンソールは、
第１のユーザが該コンソールを介して該システム上で第１のタスクを実行することを可能にし、
第２のユーザが遠隔デバイスを介して前記第１のタスクと同時に第２のタスクを実行することを可能にするようにプログラムされているコンピュータを備え、
前記コンピュータは、第３のユーザに、別の遠隔デバイスを介して前記第１のタスクおよび前記第２のタスクと同時に第３のタスクを実行することを可能にするようにプログラムされており、
前記コンピュータは、前記第３のタスクが前記第３のユーザによって実行される準備ができたときに前記第１のユーザおよび前記第２のユーザのうちの一方に警告し、前記第１のユーザおよび前記第２のユーザのうちの一方が前記第３のタスクが実行されることを妨げるようにプログラムされている、医療撮像システム。
【請求項１１】
医療診断システムにアクセスする方法であって、
コンソールを使用する第１のユーザによって前記医療診断システム上で第１のタスクを実行することと、
前記第１のタスクを実行している間に、前記医療診断デバイスと通信するためにポータブル電子デバイスを使用する第２のユーザによって前記医療診断システム上で第２のタスクを実行することとを含み、
前記第２のユーザが前記コンソールよりも別の医療診断システムに近い場合に前記第２のユーザに警告することを含む、方法。
【請求項１２】
前記ポータブル電子デバイスを前記医療診断デバイスに無線で結合することを含む、請求項１１記載の方法。
【請求項１３】
前記ポータブル電子デバイスをローカルエリアネットワーク（ＬＡＮ）およびブロードバンド接続デバイスのうちの一方を介して前記医療診断デバイスと結合することを含む、請求項１２記載の方法。
【請求項１４】
前記第２のタスクがさらに実行されることを妨げるために前記第２のタスクを上書きするために前記コンソールを使用することを含む、請求項１１記載の方法。
【請求項１５】
前記コンソールを使用して前記ポータブル電子デバイスをディセーブルすることを含む、請求項１１記載の方法。
【請求項１６】
前記第１のユーザに、前記ポータブル電子デバイスが前記医療診断システムと通信していることを通知することを含む、請求項１１記載の方法。
【請求項１７】
前記医療診断デバイスと通信するために別のポータブル電子デバイスを使用する第３のユーザによって前記医療診断システム上で第３のタスクを実行することとを含む、請求項１１記載の方法。
【請求項１８】
前記別のポータブル電子デバイスが前記医療診断デバイスと通信しているときに、前記第１のユーザおよび前記第２のユーザのうちの一方に警告することを含む、請求項１７記載の方法。
【請求項１９】
医療診断システムにアクセスする方法であって、
コンソールを使用する第１のユーザによって前記医療診断システム上で第１のタスクを実行することと、
前記第１のタスクを実行している間に、前記医療診断デバイスと通信するためにポータブル電子デバイスを使用する第２のユーザによって前記医療診断システム上で第２のタスクを実行することとを含み、
前記第２のタスクが実行されることを妨げるために前記第１のユーザが選択するためのオプションを前記コンソール上に表示することを含む、方法。
【請求項２０】
前記第２のタスクが実行されようとしているときに前記コンソールを使用して前記第１のユーザに対して警告を表示することを含む、請求項１１記載の方法。
【請求項２１】
命令を備えるコンピュータプログラムを記憶されている持続性コンピュータ可読記憶媒体であって、該命令は、コンピュータによって実行されると、該コンピュータに、
医療診断撮像システムにアクセスさせ、
第１のユーザが、前記医療診断撮像システムの動作を制御するように構成されているコンソールを介して前記医療診断撮像システム上で第１のタスクを実行することを可能にさせ、
前記医療診断撮像システム上で第２のタスクを同時に実行するためにワイヤレスデバイスから情報を受信させ、
前記命令はさらに、前記コンピュータに、
前記ワイヤレスデバイスをそのロケーションに基づいてディセーブルすることを実行させる、持続性コンピュータ可読記憶媒体。
【請求項２２】
前記ワイヤレスデバイスは第２のユーザを介して前記第２のタスク入力を受け取るように構成されている、請求項２１記載のコンピュータ可読記憶媒体。
【請求項２３】
前記命令はさらに、前記第１のユーザに、他のユーザが前記医療診断撮像システムにアクセスすることを妨げる上書き命令オプションを提供する、請求項２１記載のコンピュータ可読記憶媒体。
【発明の詳細な説明】
【技術分野】
【０００１】
本発明の実施形態は、一般的に診断撮像に関し、より詳細には、医療診断撮像システムにおけるマルチタスク処理の方法および装置に関する。
【背景技術】
【０００２】
診断撮像システムは、例としてコンピュータ断層撮影（ＣＴ）撮像システム、磁気共鳴撮像システム、ｘ線システム、およびＰＥＴシステムを含み得る。本明細書に記載の発明はＣＴシステムに関して記載されているが、本発明はいずれの撮像システムにも適用可能であってもよいことが企図されている。
【０００３】
一般的に、コンピュータ断層撮影（ＣＴ）撮像システムにおいて、ｘ線源が、患者または一個の手荷物のような被験体または対象物に向かって扇形ビームを放出する。以下、「被験体」および「対象物」という用語は、撮像されることが可能なあらゆるものを含むものとする。ビームは、被験体によって減衰された後、放射線検出器のアレイに衝突する。検出器アレイにおいて受け取られた減衰ビーム放射線の密度は一般的に被験体によるｘ線ビームの減衰に応じて決まる。検出器アレイの各検出器素子は、各検出器素子によって受け取られた減衰ビームを示す別個の電気信号を生成する。電気信号は、最終的に画像を生成する分析のためのデータ処理システムに送信される。ｘ線源および検出器はガントリ上に載置され、ガントリは被験体を中心として回転し、この間患者はガントリの中央を通じて軸方向に搬送される。
【０００４】
一般的に、ｘ線源および検出器アレイはガントリを中心として撮像面内で被験体の周りに回転される。Ｘ線源は一般的に、ｘ線ビームをある焦点において放出するｘ線管を含む。Ｘ線検出器は一般的に、検出器によって受け取られたｘ線ビームをコリメートするためのコリメータと、コリメータに隣接する、ｘ線を光エネルギーに変換するためのシンチレータと、隣接するシンチレータから光エネルギーを受け取ってそれから電気信号を生成するためのフォトダイオードとを含む。
【０００５】
一般的に、シンチレータアレイの各シンチレータがｘ線を光エネルギーに変換する。各シンチレータは、光エネルギーをそれに隣接するフォトダイオードに送り出す。各フォトダイオードは光エネルギーを検出し、対応する電気信号を生成する。その後、フォトダイオードの出力が画像再構成のためにデータ処理システムに送信される。このように、被験体がガントリを通じて軸方向に搬送されている間に被験体の撮像データが得られる。
【０００６】
ガントリに近接して位置するコンソールを使用してＣＴシステムが操作され、システムからデータが取得される。ユーザは、患者データまたは画像にアクセスし、患者データを入力し、診断手順を決定するなどのためにコンソールを使用することができる。ユーザはまた、撮像セッションを実行し撮像データを分析するためにもコンソールを使用することができる。
【０００７】
現在、単一のユーザが医療診断システムを使用している場合、第２のユーザは一般的に、第１のユーザのワークフローを中断してそのタスクが完了するのを妨げるか、または第１のユーザがそのタスクを完了するまで待つかのいずれかをしなければならず、いずれにせよ、診断手順の完了が遅延する。したがって、第１のユーザがシステムを、たとえば撮像データ取得に使用している場合、第１のユーザは、第２のユーザが、たとえば患者に関する情報にアクセスするか、または次の患者に対して続いて計画されている撮像手順に関する情報を入力するためには、中断されなければならない。中断によって、データ画像化、データ入力などに誤りが生じ、システム休止時間が生じ、設備の使用が全体的に非効率になる可能性がある。
【０００８】
コンソールのユーザインターフェイス上に別個のフローティングウィンドウを表示し、第２のユーザからのやり取りを可能にするためのタッチスクリーン、マウス、またはトラックボールのような追加の専用ハードウェアを提供することによって、この問題を解決するための試みが行われている。問題を解決するための他の試みは、第２のロケーションに別個のディスプレイを配置し、コンソールからの情報にアクセスするためにビデオケーブルを使用することを含む。しかしながら、そのようなシステムは費用がかかる可能性があり、それにもかかわらずコンソールのユーザの集中を妨げる可能性がある。
【０００９】
それゆえ、診断撮像システムをより効率的に操作する装置および方法を設計することが望ましい。
【先行技術文献】
【特許文献】
【００１０】
【特許文献１】国際公開第２００７／０４７４５７号
【発明の概要】
【課題を解決するための手段】
【００１１】
本発明は、医療撮像システムのマルチタスク処理のための方法および装置に関する。
【００１２】
本発明の一態様によれば、患者の医療撮像データを取得することが可能な医療撮像システムは、システムに結合されているコンソールを含み、コンソールは、第１のユーザがコンソールを介してシステム上で第１のタスクを実行することを可能にし、第２のユーザが遠隔デバイスを介して第１のタスクと同時に第２のタスクを実行することを可能にするようにプログラムされているコンピュータを備える。
【００１３】
本発明の別の態様によれば、医療診断システムにアクセスする方法は、コンソールを使用する第１のユーザによって医療診断システム上で第１のタスクを実行することと、医療診断デバイスと通信するためのポータブル電子デバイスを使用する第２のユーザによって医療診断システム上で第２のタスクを実行することを含む。
【００１４】
本発明のまた別の態様によれば、命令を備えるコンピュータプログラムを記憶されている持続性コンピュータ可読記憶媒体であって、当該命令は、コンピュータによって実行されると、コンピュータに、第１の医療診断撮像システムにアクセスさせ、第１の医療診断撮像システムの動作を制御するように構成されているコンソールを介して第１のユーザが第１の医療診断撮像システム上で第１のタスクを実行することを可能にさせ、第１の医療診断撮像システム上で第２のタスクを同時に実行するためにワイヤレスデバイスから情報を受信させる、持続性コンピュータ可読記憶媒体。
【００１５】
以下の詳細な説明および図面からさまざまな他の特徴および利点が明らかとなろう。
【００１６】
図面は、本発明を実行するために現在企図されている好ましい実施形態を示している。
【図面の簡単な説明】
【００１７】
【図１】ＣＴ撮像システムの絵図である。
【図２】図１に示されているシステムの概略ブロック図である。
【図３】本発明の一実施形態による、ポータブルデバイスを介してアクセスされる医療撮像システムの概略ブロック図である。
【図４】非侵襲的荷物検査システムとともに使用するためのＣＴシステムの絵図である。
【発明を実施するための形態】
【００１８】
撮像デバイスは、ｘ線システム、磁気共鳴（ＭＲ）システム、超音波システム、コンピュータ断層撮影（ＣＴ）システム、ポジトロン放出断層撮影（ＰＥＴ）システム、超音波、核医学、および他のタイプの撮像システムを含む。ｘ線源の用途は、撮像、医療、セキュリティ、および工業検査の用途を含む。実施態様は、単一スライスまたは他のマルチスライス構成を用いる使用に適用可能であることが当業者には明らかであろう。さらに、実施態様は、ｘ線の検出および変換のために採用可能である。しかしながら、当業者にはさらに、実施態様が一般に、他の高周波電磁エネルギーの検出および変換、ならびに他の医療撮像システムのために採用可能であることが明らかであろう。実施態様は「第３世代」ＣＴスキャナおよび／または他のＣＴシステムとともに採用可能である。
【００１９】
本発明の動作環境は、６４スライスコンピュータ断層撮影（ＣＴ）システムに関して説明される。しかしながら、本発明は、他のマルチスライス構成を用いる使用に等しく適用可能であることが当業者には明らかであろう。さらに、本発明は、ｘ線の検出および変換に関して説明される。しかしながら、当業者にはさらに、本発明が他の高周波電磁エネルギーの検出および変換に等しく適用可能であることが明らかであろう。本発明は「第３世代」ＣＴスキャナに関して説明されるが、他のＣＴシステムを用いて等しく適用可能である。
【００２０】
図１を参照すると、「第３世代」ＣＴスキャナを表すコンピュータ断層撮影（ＣＴ）撮像システム１０が、ガントリ１２を含むものとして示されている。ガントリ１２は、ボウタイフィルタ１３を通じてガントリ１２の反対側にある検出器アセンブリまたはコリメータ１８に向かってｘ線のビーム１６を投射するｘ線源１４を有する。ここで図２を参照すると、検出器アセンブリ１８は、複数の検出器２０およびデータ取得システム（ＤＡＳ）３２によって形成されている。複数の検出器２０は、医療患者２２を通過する投射されたｘ線を検知し、ＤＡＳ３２はデータを後続の処理のためにデジタル信号に変換する。各検出器２０は、衝突するｘ線ビームの強度、したがって、患者２２を通じて通過する際に減衰したビームを表すアナログ電気信号を生成する。ｘ線投射データを取得するための走査の間、ガントリ１２をその上に載置された構成要素は回転の中心２４を中心として回転する。
【００２１】
ガントリ１２の回転およびｘ線源１４の動作は、ＣＴシステム１０の制御機構２６によって統制される。制御機構２６は、ｘ線源１４に電力およびタイミング信号を提供するｘ線コントローラ２８と、ガントリ１２の回転速度および位置を制御するガントリモータコントローラ３０とを含む。画像再構成器３４がサンプリングおよびデジタル化されたｘ線データをＤＡＳ３２から受信し、高速再構成を実行する。再構成された画像は入力としてコンピュータ３６に与えられ、コンピュータは画像を大容量記憶装置内３８に記憶する。
【００２２】
コンピュータ３６は、キーボード、マウス、音声差動式コントローラ、または任意の他の適切な入力装置のような何らかの形態の操作者インターフェースを有するコンソール４０を介して操作者からコマンドおよび走査パラメータをも受け取る。関連付けられたディスプレイ４２が、操作者が再構成画像およびコンピュータ３６からの他のデータを観察することを可能にする。操作者によって供給されたコマンドおよびパラメータは、コンピュータ３６によって、ＤＡＳ３２、ｘ線コントローラ２８およびガントリモータコントローラ３０に制御信号および情報を提供するのに使用される。加えて、コンピュータ３６は、患者２２およびガントリ１２を位置づけるためのモータ台４６を制御する台モータコントローラ４４を動作させる。特に、台４６は、図１のガントリ開口４８を通じて患者２２を全体または部分的に動かす。
【００２３】
ここで図３を参照すると、撮像デバイス１００のネットワークシステムは、医療診断システムコンソール１０４を含む医療診断システム１０２を含む。一実施形態における医療診断システム１０２は、図１および図２に示すようなＣＴ撮像システム１０のようなＣＴシステムであり、その実施形態において、医療診断システム１０２は図２に示すような操作者コンソール４０である。しかしながら、記載の通り、医療診断システム１０２はＣＴシステムには限定されず、対象物の撮像データを得て、コンピュータ端末から制御およびアクセスされる任意の撮像システムであってもよく、遠隔デバイスを介してアクセスされてもよい。
【００２４】
医療診断システムコンソール１０４は、一実施形態において、ローカルエリアネットワーク（ＬＡＮ）１０６または任意のブロードバンド型接続に接続される。一実施形態において、ＬＡＮ１０６は通信ケーブル１０８を介して医療診断システムコンソール１０４に有線接続される。別の実施形態において、ＬＡＮ１０６は通信ケーブル１０８の使用を除外し、無線１１０で医療診断システムコンソール１０４と通信するように構成される。本発明によれば、遠隔またはポータブルデバイス１１２がＬＡＮ１０６の近傍で操作されることができ、別のユーザが医療診断システムコンソール１０４を使用して医療診断システム１０２に同時にアクセスしている間に、あるユーザによってＬＡＮ１０６を介して無線で遠隔して医療診断システム１０２にアクセスするのに使用されることができる。
【００２５】
コンソール１０４は、例として、撮像情報、患者情報、走査プロトコル情報などを表示するためのモニタを含んでもよい。コンソール１０４は、撮像システム１０のコンピュータ３６のようなコンピュータにアクセスするためのキーボードおよび／またはマウスをも含んでもよい。本発明の実施形態において、ポータブルデバイス１１２は、タブレットＰＣ、スマートフォン、ポータブル音楽プレーヤ、および専用デバイス（すなわち、明確に医療診断システム１０２に無線で遠隔する目的のために作製された遠隔デバイス）のうちの１つである。ポータブルデバイス１１２は、たとえば別のデバイスに無線結合されることができる任意のデバイスであってもよく、リストされているデバイスタイプには限定されないことを当業者は認識しよう。
【００２６】
いくつかのタスクが医療診断システムコンソール１０４またはポータブルデバイス１１２を使用して医療診断システム１０２で実行されてもよいことが企図されている。たとえば、実行されてもよいタスクは、限定ではないが、撮像データの処理、撮像データの観察、患者リストの表示、次の患者の情報の表示、患者データの編集、患者の非画像化医療情報の表示、実行されるべき手順の表示、次の患者の撮像準備ができたという指示の表示、医療撮像システムの取扱説明書の表示、ｘ線の管理、および撮像システムの状態の監視を含む。すなわち、第１のユーザは医療診断システムコンソール１０４を使用して医療診断システム１０２上で第１のタスクを実行することができ、第２のユーザはポータブルデバイス１１２を使用して第２のタスクを実行することができる。そのような様式およびこの例において、第１のユーザは、患者を撮像する用意をしている場合があり、第２のユーザが患者データを編集するための医療診断システム１０２にアクセスしていることができる間、中断することなくそうし続けることができる。
【００２７】
コンソール１０４は、システム１０２に対するどのレベルの制御またはアクセスがポータブルデバイス１１２を介して許可されているかを制御するために、システムコンソール１０４が上書き命令能力を有することを保証するように構成されるか、またはそのようにコンピュータプログラミングされることができる。したがって、本発明によれば、システムコンソール１０４は、ポータブルデバイス１１２の機能を解除するか、またはポータブルデバイス１１２がシステム１０２にアクセスするのを完全に妨げるのに使用されてもよい。加えて、システムコンソール１０４は、第１のユーザに、ポータブルデバイス１１２のようなポータブルデバイスが医療診断システム１０２にアクセスしていることを通知するように構成されてもよい。システムコンソール１０４はまた、例として、第２のタスクが実行されるのを妨げるか、またはポータブルデバイス１１２からのアクセスを完全に妨げるための、セキュリティを提供し許可されていないユーザからのアクセスを妨げるための、第２のタスクが実行されようとしているときに警告を表示し、そのロケーションに基づいて遠隔デバイスをディセーブルするための、および、遠隔デバイスへ送信されるデータの暗号化／遠隔デバイスから受信されたデータの復号のためのオプションを表示するように構成されてもよい。
【００２８】
したがって、撮像デバイス１００のネットワークシステムは、ポータブルデバイスが、コンソール１０４のようなメインコンソールのものと比較して制限された機能を有することを可能にする。たとえば、ポータブルデバイス１１２は、診断手順の特定のパラメータを制御もしくは変更する機能（ｘ線を管理する機能）または医療デバイスのある部分を移動する能力を有することを妨げられる場合がある。または、一実施形態において、そのような機能はコンソール１０４のようなメインコンソールを通じて承認が得られた後にのみ許可されてもよい。
【００２９】
記載の通り、医療診断システム１０２は、図１および図２に示すシステム１０のコンピュータ３６のようなコンピュータを含んでもよい。したがって、たとえば、コンソール１０４とポータブルデバイス１１２との間に暗号化／復号機能を含めるために、追加のソフトウェア機能が医療診断システム１０２に組み込まれてもよい。そのような様式において、患者のプライバシーを保護するために、データが望ましくない追加のワイヤレスの受信者から傍受または理解されることが妨げられてもよい。
【００３０】
本発明によれば、医療診断システム１０２にアクセスするために複数のポータブルデバイスが使用されてもよい。すなわち、ポータブルデバイス１１２を使用して、第１のユーザがシステムコンソール１０４を介してシステム１０２にアクセスしている間にシステム１０２にアクセスすることができ、同様に、別のポータブルデバイス１１４を使用して同時にシステム１０２にアクセスすることもできる。ポータブルデバイス１１２と同様に、ポータブル１１４も、記載されているような任意のタイプのデバイスであってもよく、機能的に制限されている場合がある。さらに、デバイス１１２および１１４のタイプは互いから異なっていてもよい（すなわち、一方はタブレットＰＣであってもよく、一方でもう一方はスマートフォンであってもよい）。
【００３１】
ポータブルデバイス１１２、１１４は、タスクが他方のポータブルデバイスによって実行されていることを互いに警告し合うように構成されてもよい。たとえば、一例において、ユーザは医療診断システム１０２を次の撮像されるべき患者に準備するためにポータブルデバイス１１２を介して医療診断システム１０２にアクセスしてもよい。しかしながら、通信の誤りに起因して、または他の理由から、別のユーザが同じタスクを実行するためにポータブルデバイス１１４を使用して医療診断システム１０２にアクセスしようと試みる場合がある。したがって、本発明によれば、ポータブルデバイス１１２を有するユーザは、ポータブルデバイス１１４が存在することを警告されることができ、さらに、ポータブルデバイス１１４を有するユーザが同じタスクの実行を試みていることを警告されることができる。加えて、本発明およびこの例によれば、コンソール１０４におけるユーザが同様に、両方のポータブルデバイス１１２、１１４における活動について警告されることができ、一方または両方のデバイス１１２、１１４の医療診断システム１０２へのアクセスおよび任意のタスクの実行を停止させる上書き命令を提供されることができる。
【００３２】
また、複数の撮像システムがポータブルデバイスによって遠隔してアクセスされることができることが企図されている。なお図３を参照すると、それぞれの医療診断システムコンソール１１８を有する別の医療診断システム１１６も含まれてもよい。したがって、医療診断システム１０２のように、医療診断システム１１６も同様に、デバイス１１２、１１４のような１つまたは複数のポータブルデバイスによってアクセスされてもよく、システム１０２と同様の機能がシステム１１６に付与されてもよい。さらに、２つ以上の診断システムを含む実施形態において、それぞれのコンソール１０４、１１８におけるユーザもシステム１０２、１１６にアクセスしそれらを使用している間に、同時にポータブルデバイス１１２のような単一のデバイスが、各システム１０２、１１６に別個にアクセスするのに使用されてもよい。
【００３３】
さらに、システム１０２、１１６およびそれぞれのコンソール１０４、１１８のような複数の撮像システムを有するネットワークシステム１００において、アラームまたは警告が、１つの撮像システムに無線でアクセスしているが、別の撮像システムに近接している遠隔したユーザに送られてもよい。一例として、医療診断システム１０２にアクセスしているユーザは、たとえば、医療診断システム１１６に近接して立っていたとしても、ポータブルデバイス１１２を使用してそのシステムにアクセスしてもよい。ユーザは、たとえば、同時に医療診断システム１１６において患者を撮像している別のユーザと協働しながら、医療診断システム１０２からデータをダウンロードするか、または、医療診断システム１０２上での撮像セッションのステータスをチェックするために、こうすることを望む場合がある。したがって、近接センサまたはＧＰＳシステムを使用してユーザのロケーションを求めて、医療診断システム１１６の近くに立っているポータブルデバイス１１２のユーザが、医療診断システム１０２がアクセスされているシステムであることを警告されてもよい。そのような警告は、ユーザが、実際には別のシステム（１０２）にアクセスしていながら、うかつにも自分があるシステム（システム１１６）にアクセスしていると考えてしまうことを防止する役割を果たし得る。
【００３４】
ネットワークシステム１００は、ＬＡＮ１０６を使用せずに済ませるように構成されてもよい。したがって、本発明の一実施形態によれば、ポータブルデバイス１１２のような遠隔デバイスおよび医療診断システムコンソール１０４は、ポータブルデバイス１１２が医療診断システムコンソール１０４に無線１２０でアクセスするように構成されてもよい。
【００３５】
ここで図４を参照すると、荷物／携行品検査システム５００は、それを通じて荷物またはいくつかの携行品が通過することができる開口５０４を中に有する回転可能ガントリ５０２を含む。回転可能ガントリ５０２は、ｘ線および／または高周波電磁エネルギー源５０６、ならびに、複数のシンチレータセルから成るシンチレータアレイを有する検出器アセンブリ５０８を収容する。コンベヤシステム５１０も設けられ、荷物または携行品個体５１６を走査のために開口５０４を通じて自動的に連続して通過させるための、構造物５１４によって支持されているコンベヤベルト５１２を含む。対象物５１６がコンベヤベルト５１２によって開口５０４を通じて給送され、次いで撮像データが取得され、コンベヤベルト５１２が制御された連続的な様態で開口５０４から荷物５１６を取り除く。結果として、郵便物検査官、荷物係、および他の保安要員が、爆発物、刃物、銃器、禁制品などについて、荷物５１６の内容を非侵襲的に検査することができる。例示的な実施態様は、手荷物内の爆発物検出のような、自動検査技法の開発に役立つことができる。
【００３６】
開示されている方法および装置に関する技術的な貢献は、医療診断撮像システム上でのマルチタスク処理のコンピュータ実装方法および装置を提供することである。
【００３７】
本発明の実施形態はコンピュータプログラムを記憶されているコンピュータ可読記憶媒体にインターフェースされ、それによって制御されてもよいことが、当業者には明らかであろう。コンピュータ可読記憶媒体は、電子構成要素、ハードウェア構成要素、および／またはコンピュータソフトウェア構成要素のうちの１つまたは複数のような複数の構成要素を含む。これらの構成要素は、一般的に、一連の１つまたは複数の実施態様または実施形態の１つまたは複数の部分を実行するためのソフトウェア、ファームウェアおよび／またはアセンブリ言語のような命令を記憶する１つまたは複数のコンピュータ可読記憶媒体を含んでもよい。これらのコンピュータ可読記憶媒体は一般的に持続性かつ／または有形である。そのようなコンピュータ可読記憶媒体の例は、コンピュータおよび／または記憶装置の記録可能データ記憶媒体を含む。コンピュータ可読記憶媒体は、たとえば、磁気、電気、光、生物学、および／または原子データ記憶媒体のうちの１つまたは複数を採用してもよい。さらに、そのような媒体は、たとえば、ｆｌｏｐｐｙ（登録商標）ディスク、磁気テープ、ＣＤ−ＲＯＭ、ＤＶＤ−ＲＯＭ、ハードディスクドライブ、および／または電子メモリの形態をとってもよい。リストされていない他の形態の持続性および／または有形コンピュータ可読記憶媒体が本発明の実施形態とともに採用されてもよい。
【００３８】
いくつかのそのような構成要素がシステムの実施態様において組み合わされ、または分割されることができる。さらに、そのような構成要素は、当業者には明らかであるようないくつかのプログラミング言語のいずれかで書かれ、またはそれを用いて実装される一組のおよび／または一連のコンピュータ命令を含んでもよい。加えて、１つまたは複数のコンピュータによって実行されると、１つまたは複数のコンピュータに、一連の１つまたは複数の実施態様または実施形態の１つまたは複数の部分を実行させる一連の命令を表すコンピュータデータ信号を具現化するために搬送波のような他の形態のコンピュータ可読媒体が採用されてもよい。
【００３９】
本発明の一実施形態によれば、患者の医療撮像データを取得することが可能な医療撮像システムは、システムに結合されているコンソールを含み、コンソールは、第１のユーザがコンソールを介してシステム上で第１のタスクを実行することを可能にし、第２のユーザが遠隔デバイスを介して第１のタスクと同時に第２のタスクを実行することを可能にするようにプログラムされているコンピュータを備える。
【００４０】
本発明の別の実施形態によれば、医療診断システムにアクセスする方法は、コンソールを使用する第１のユーザによって医療診断システム上で第１のタスクを実行することと、医療診断デバイスと通信するためのポータブル電子デバイスを使用する第２のユーザによって医療診断システム上で第２のタスクを実行することを含む。
【００４１】
本発明のまた別の実施形態によれば、命令を備えるコンピュータプログラムを記憶されている持続性コンピュータ可読記憶媒体であって、当該命令は、コンピュータによって実行されると、コンピュータに、第１の医療診断撮像システムにアクセスさせ、第１の医療診断撮像システムの動作を制御するように構成されているコンソールを介して第１のユーザが第１の医療診断撮像システム上で第１のタスクを実行することを可能にさせ、第１の医療診断撮像システム上で第２のタスクを同時に実行するためにワイヤレスデバイスから情報を受信させる、持続性コンピュータ可読記憶媒体。
【００４２】
本明細書は発明を開示し、さらに統合者が発明を実践することを可能にするために、任意のデバイスまたはシステムを作成および使用すること、ならびに任意の組み込まれた方法を使用することを含む、最良の形態を含む実施例を使用している。本発明の特許可能な範囲は特許請求の範囲によって画定され、当業者が着想する他の実施例を含んでもよい。そのような他の実施例は、それらが特許請求の範囲の文言と異ならない構造要素を有する場合に、またはそれらが特許請求の範囲の文言との十分な差違を有しない等価な構造要素を含む場合に、特許請求の範囲内に入ることが意図される。
【符号の説明】
【００４３】
１０  ＣＴ撮像システム
１２  ガントリ
１３  ボウタイフィルタ
１４  ｘ線源
１６  ビーム
１８  検出器アセンブリ
２０  検出器
２２  医療患者
２４  回転の中心
２６  制御機構
２８  ｘ線コントローラ
３０  ガントリモータコントローラ
３４  画像再構成器
３６  コンピュータ
３８  大容量記憶装置内
４０  操作者コンソール
４２  ディスプレイ
４４  台モータコントローラ
４６  モータ台
４８  ガントリ開口
１００  撮像デバイスのネットワークシステム
１０２  医療診断システム
１０４  医療診断システムコンソール
１０８  通信ケーブル
１１０  無線
１１２  ポータブルデバイス
１１４  ポータブルデバイス
１１６  医療診断システム
１１８  医療診断システムコンソール
１２０  無線
５００  携行品検査システム
５０２  回転可能ガントリ
５０４  開口
５０６  高周波電磁エネルギー源
５０８  検出器アセンブリ
５１０  コンベヤシステム
５１２  コンベヤベルト
５１４  構造物
５１６  対象物
【図１】
0006054376.tif 000002
【図２】
0006054376.tif 000003
【図３】
0006054376.tif 000004
【図４】
0006054376.tif 000005